(57)【要約】【課題】別途、目地用の清掃具を用意しなくても高所等のコーナー部等を容易、かつ効果的に清掃できる便利な長柄付き清掃具を提供する。【解決手段】下面側にブラシ材１２を保持するブラシ台１１の前端部位１１ａに前後に細長い空所１３が厚み方向へ貫通して形成された第１ブラシ体１と、第１ブラシ体１における細長空所１３に挿入可能な前後に細長い第２ブラシ体２と、前記ブラシ体１，２に対する棒状長柄３とを備え、第１ブラシ体１のブラシ台１１と第２ブラシ体２のブラシ台２１とには、両者１，２を着脱可能に結合する結合手段２０が設けられており、第２ブラシ体２は、自身のブラシ台２１を介して棒状長柄３を所定姿勢に保持する状態で、該棒状長柄３の基端側に取付けられている。【選択図】        図２
2011115285.tif 000002
【特許請求の範囲】
【請求項１】
下面側にブラシ材を保持するブラシ台に前後に細長い空所が厚み方向へ貫通して形成された第１ブラシ体と、
下面にブラシ材を保持するブラシ台が前記第１ブラシ体の前記細長い空所に挿入可能な細長い形状に形成された第２ブラシ体と、
前記第２ブラシ体のブラシ台に取付けられる棒状長柄と、
前記棒状長柄が前記第２ブラシ体のブラシ台に取付けられた状態で、前記第１ブラシ体のブラシ台と第２ブラシ体のブラシ台とを着脱可能に結合する結合手段と、
を備えたことを特徴とする長柄付き清掃具。
【請求項２】
前記第１ブラシ体のブラシ台の上面には、第１筒部が突設され、
前記第２ブラシ体のブラシ台の上面には、前記棒状長柄が取り付けられる第２筒部が突設され、
該第２筒部の孔部はブラシ台を貫通して下方に開口しており、
前記結合手段は、前記第１ブラシ体の第１筒部が前記第２筒部内まで挿入された状態で前記第１ブラシ体のブラシ台と第２ブラシ体のブラシ台とを結合するように構成されている請求項１に記載の長柄付き清掃具。
【請求項３】
前記結合手段は、前記第２ブラシの第２筒部の外周壁に形成された一つまたは複数の係合孔と、前記第１ブラシ体の第１筒部の外周壁に略Ｕ字形の切り込みによって形成された一つまたは複数の弾性片と、弾性片の先端部外面に一体形成されて、前記第１筒部が第２筒部に嵌合された状態で前記係合孔に係脱可能に係合する係止突部とを備えており、
前記係止突部は、前記弾性片の弾性力に抗して押し込み操作することにより前記係合状態を解除させる解除ボタン部を兼務している請求項２に記載の長柄付き清掃具。
【請求項４】
前記第２ブラシ体におけるブラシ材の摺洗面が正面視逆山形に形成されている請求項１〜３のいずれかに記載の長柄付き清掃具。
【発明の詳細な説明】
【技術分野】
【０００１】
この発明は、例えば浴室等の清掃等に使用される長柄付き清掃具に関する。
【背景技術】
【０００２】
一般に、例えば浴室等の内壁や天井等を清掃するには、ブラシ材を保持するブラシ台の上面に長柄が取り付けられた清掃具を使うことが多い。
【０００３】
また、従来、２種の用途に対応可能な清掃具として、摺洗面の大きさが異なる２種の把持タイプのブラシ体を分離可能に合体化して使用できるようにした技術が提案されている（例えば、特許文献１参照）。
【先行技術文献】
【特許文献】
【０００４】
【特許文献１】特開平８−８９３４３号公報
【発明の概要】
【発明が解決しようとする課題】
【０００５】
しかし、従来の清掃具では、ブラシ材の摺洗面が比較的広いので、浴室内のコーナー部等を隈なく清掃するのには不向きである。このため、通常は、浴室内のコーナー部等を清掃するために、細長の目地用のブラシ清掃具を別途、用意しておかなければならない。
【０００６】
また、先行技術のものにおいては、大形のブラシ体から分離した別形のブラシ体を使って浴槽内のコーナー部等を清掃できないこともないが、摺洗面が目地用のように細長い形状でない限り、汚れを効果的に落とせない。とくに、長柄が付かないハンディタイプであるから、浴室内壁と天井の間等の高所のコーナー部を清掃するには踏み台等に上がって作業しなければならない使いにくさがあり、やはり、目地用の長柄付きの細長ブラシが必要となってくる。
【０００７】
この発明は、上記実情に鑑みてなされたものであり、別途、目地用の清掃具を用意しなくても浴槽等の高所コーナー部を容易、かつ効果的に清掃できる便利な長柄付き清掃具を提供することを課題としている。
【課題を解決するための手段】
【０００８】
上記課題は、以下の手段によって解決される。
【０００９】
［１］下面側にブラシ材を保持するブラシ台に前後に細長い空所が厚み方向へ貫通して形成された第１ブラシ体と、
下面にブラシ材を保持するブラシ台が前記第１ブラシ体の前記細長い空所に挿入可能な細長い形状に形成された第２ブラシ体と、
前記第２ブラシ体のブラシ台に取付けられる棒状長柄と、
前記棒状長柄が前記第２ブラシ体のブラシ台に取付けられた状態で、前記第１ブラシ体のブラシ台と第２ブラシ体のブラシ台とを着脱可能に結合する結合手段と、
を備えたことを特徴とする長柄付き清掃具。
【００１０】
［２］前記第１ブラシ体のブラシ台の上面には、第１筒部が突設され、
前記第２ブラシ体のブラシ台の上面には、前記棒状長柄が取り付けられる第２筒部が突設され、
該第２筒部の孔部はブラシ台を貫通して下方に開口しており、
前記結合手段は、前記第１ブラシ体の第１筒部が前記第２筒部内まで挿入された状態で前記第１ブラシ体のブラシ台と第２ブラシ体のブラシ台とを結合するように構成されている前項１に記載の長柄付き清掃具。
【００１１】
［３］前記結合手段は、前記第２ブラシの第２筒部の外周壁に形成された一つまたは複数の係合孔と、前記第１ブラシ体の第１筒部の外周壁に略Ｕ字形の切り込みによって形成された一つまたは複数の弾性片と、弾性片の先端部外面に一体形成されて、前記第１筒部が第２筒部に嵌合された状態で前記係合孔に係脱可能に係合する係止突部とを備えており、
前記係止突部は、前記弾性片の弾性力に抗して押し込み操作することにより前記係合状態を解除させる解除ボタン部を兼務している前項２に記載の長柄付き清掃具。
【００１２】
［４］前記第２ブラシ体におけるブラシ材の摺洗面が正面視逆山形に形成されている前項１〜３のいずれかに記載の長柄付き清掃具。
【発明の効果】
【００１３】
前項［１］に記載の発明によれば、第１ブラシ体における細長空所に細長の第２ブラシ体を挿入させながら、前記結合手段を介して第２ブラシ体を第１ブラシ体に合体させることにより、ブラシ体全体として広い摺洗面が得られ、例えば浴槽の内壁や床等の広い被清掃面を簡単に清掃することが可能となる。
【００１４】
とくに、棒状長柄は第２ブラシ体に取り付けられているので、第２ブラシ体を第１ブラシ体から分離して長柄付きの第２ブラシ体を単独で使用することができ、この際、第２ブラシ体が細長であるので、目地用のブラシと同じ役割を果たすことができるうえ、長柄付きであるから、例えば浴室内壁と天井との間等の高所のコーナー部に対する清掃を効果的に行うことができる。
【００１５】
前項［２］に記載の発明によれば、第２ブラシ体に棒状長柄が取り付けられるための第２筒部に対して、第１ブラシの第１筒部を下側から挿入するようにして両ブラシを連結するため、第１ブラシ体と第２ブラシ体の合体・解除操作が、第２ブラシ体と棒状長柄の合体・解除操作と同じ軸線上で行われることとなり、優れた操作性を得ることができる。
【００１６】
前項［３］に記載の発明によれば、第１ブラシ体の第１筒部を第２ブラシ側の下端側に差し込んで外嵌させれば、第１筒部側における弾性変移可能な係止突部が第２筒部側における係合孔に係合し、第１ブラシ体に第２ブラシ体を迅速、かつ適正に結合でき、また、係止突部を押し込んで第１筒部を引き抜き操作すれば、簡単に第２ブラシ体を第１ブラシ体から分離することができる。
【００１７】
前項［４］に記載の発明によれば、第２ブラシ体におけるブラシ材の摺洗面が正面視逆山形に形成されているので、目地やコーナー部等に対する接触性が良く、摺洗効果が一層良好に発揮される。
【図面の簡単な説明】
【００１８】
【図１】この発明に実施形態に係る長柄付き清掃具を組立状態で示す側面図である。
【図２】同じく長柄付き清掃具における要部の分解斜視図である。
【図３】（Ａ）は第１ブラシ体と第２ブラシ体とを合体状態で示す平面図、（Ｂ）は同正面図、（Ｃ）は同側面図、（Ｄ）は同背面図、（Ｅ）は同底面図である。
【図４】図３（Ａ）のＡ−Ａ線に沿った断面図である。
【図５】図３（Ｃ）のＣ−Ｃ線に沿った断面図である。
【図６】（Ａ）は第２ブラシ体を示す平面図、（Ｂ）は同正面図、（Ｃ）は同側面図、（Ｄ）は同背面図、（Ｅ）は同底面図である。
【図７】（Ａ）は図６（Ａ）のＣ−Ｃ線に沿った断面図、（Ｂ）は図６（Ｃ）のＤ−Ｄ線に沿った断面図である。
【図８】（Ａ）は第１ブラシ体を示す平面図、（Ｂ）は同正面図、（Ｃ）は同側面図、（Ｄ）は同背面図、（Ｅ）は同底面図である。
【図９】（Ａ）は図８（Ａ）のＥ−Ｅ線に沿った断面図、（Ｂ）は図８（Ｃ）のＦ−Ｆ線に沿った断面図、（Ｃ）は図８（Ｃ）のＧ−Ｇ線に沿った断面図である。
【発明を実施するための形態】
【００１９】
以下、この発明の実施形態を図面に基づいて説明する。
【００２０】
図１および図２は、それぞれこの発明の実施形態に係る長柄付き清掃具を示す側面図および要部の分解斜視図である。
【００２１】
図１および図２において、この長柄付き清掃具は、第１ブラシ体１と、第２ブラシ体２と、棒状の長柄（棒状長柄）３とを備えており、第１ブラシ体１と第２ブラシ体２とを合体させた状態で長柄３により操作する態様と、第１ブラシ体１を分離して第２ブラシ体２を単独で長柄３により操作する態様とに使い分けることができるものである。
【００２２】
前記第１ブラシ体１は、例えば、図８（Ａ）〜（Ｅ）にも示すように、ブラシ台１１と、このブラシ台１１の下面に植設されたブラシ材１２とからなり、ブラシ台１１は、例えば木材ないしはこの例のような合成樹脂等からから平面形状が長方形ないしは長円状に形成されている。また、ブラシ材１２は、天然ないしは合成樹脂製の多数の毛からなる。
【００２３】
第１ブラシ体１における前端部１１ａには、前端から後方側に略Ｕ字形に切り欠かれるとともに、厚み方向（上下方向）に貫通した前後に細長い空所１３が形成されており、これにより、第ブラシ体１は、全体として平面形状が略馬蹄形となっている。
【００２４】
この細長空所１３は、第２ブラシ体２に第１ブラシ体１を合体させる際、第２ブラシ体２を挿入させるためのものである。勿論、この細長空所１３は、この例のように切欠成形により前端が開放された形態に限らず、第２のブラシ体２が挿入可能なものであれば、第１ブラシ体１のブラシ台１１の中央部に位置して貫通した孔状部であってもよい。
【００２５】
前記第２ブラシ体２は、例えば、図６（Ａ）〜（Ｅ）にも示すように、ブラシ台２１と、このブラシ台２１の前端部２１ａの下面に植設されたブラシ材２２とからなり、ブラシ台２１は、例えば木材ないしはこの例のような合成樹脂等からから平面形状が細長矩形状に形成されており、いわゆる目地用ブラシと同等の機能が発揮できるようになっている。
【００２６】
前記ブラシ材２２は、天然ないしは合成樹脂製の多数の毛からなり、幅方向の中央部の毛先が長くしてある。つまり、このブラシ材２２の摺洗面２２ａは、図６（Ｂ），（Ｄ）にも示すように、逆山形状に形成されている。なお、この第２ブラシ体２におけるブラシ材２２は、前記第１ブラシ体１のブラシ材１２とは異なる構成材や硬さに設定してもよい。
【００２７】
第２ブラシ体２のブラシ台２２の上面には、長柄３が取り付けられる円筒状の第２筒部（図４〜図６）２３が後方側へ傾斜した姿勢で突設されている。この第２筒部２３は、ブラシ台２２を貫通して下方に開口している。
【００２８】
第１ブラシ体１のブラシ台１１の上面には、第２ブラシ体２の第２筒部２３に対応するおける略後端部１１ｂに、円筒状の第１筒部１４が斜め後方側に向かって突設されている。
【００２９】
なお、この例においては、第２ブラシ体２におけるブラシ台２１の後端部２１ｂは、段差部２１ｃを介して高さレベルが前端部２１ａよりも高位置に設定されている。
【００３０】
第１筒部１４は、第１ブラシ体１が第２ブラシ体２と合体化される際に、第２筒部２３の下端側に挿入されるものであり、両筒部１４，２３には、両ブラシ体１，２を互いに着脱可能に結合するための結合手段２０が構成されている。
【００３１】
前記結合手段２０は、例えば、図４、図５、図７〜図９に示すように、第１円筒部１４の外周壁に円周方向で等配された位置に形成された一対の弾性片１６，１６と、これら弾性片１６，１６の各先端部外面にそれぞれ一体形成された係止突部１７，１７と、前記第２筒部２３の下端部の外周壁に円周方向へ等配されて、前記係止突部１７，１７に対してそれぞれ係脱可能に係合する一対の係合孔１８，１８とを備えている。
【００３２】
前記弾性片１６，１６は、第１筒部１４の外周壁において、下側から上向きにＵ字形に切り込まれた切り込み（すり割り）部１５，１５により、形成されたものであり、係合孔１８に対して係止突部１６を弾性変移可能に係合させるようになっている。
【００３３】
前記係止突部１７，１７は、押し込み操作で係合を解除する解除ボタンを兼務している。
【００３４】
前記長柄３は、例えば１ｍ余りの合成樹脂ないしは金属材製の円筒体（パイプ）からなり、長手方向（軸方向）で複数（この例では３つ）に分割構成されており、各分割柄３１・・・は、隣接側のものに対して連結装置４を介して連結されている。
【００３５】
なお、この例では、最上部の分割柄３１の先端（上端）側がグリップ部３１０として構成されており、その先端には、フック部材７０が設けられている。
【００３６】
この長柄３における最下端の分割柄３１の基端側は、前記第２ブラシ体２における第２筒部２３の上端側に連結装置４を介して着脱可能に連結されようになっている。
【００３７】
長柄３における最下端の分割柄３１の基端側を前記第２筒部２３の上端部に連結した状態では、第２ブラシ体２がそのブラシ台２１および第２筒部２３を介して前記分割柄３１の基端側に一体化されることになる。
【００３８】
前記長柄３に適用された連結装置４は、各種連結構造が採用可能である。ここで、この例のものを概略的に説明すれば、前記長柄３を構成する分割柄３１における一方の連結端部に軸方向外方へ向かって外径が小さくなる円錐状の雄側突出部５（図１）を設けてあり、この雄側突出部５を隣接側分割柄３１に形成された円錐状の雌側凹入部６（図４，図５、図７）に差し込み、所定方向への回転操作により、雄側突出部５の先端部が雌側凹入部６側の係合部７に係合して抜け止めされるようになってなっている。
【００３９】
つぎに、上記構成の長柄付き清掃具の組み立て手順および使用方法について説明する。
【００４０】
長柄３が分解状態で保管されているとすると、使用時には、まず、長柄３における複数の分割柄３１・・・を連結装置４により所定の手順で連結して組み立てる。
【００４１】
一方、第２ブラシ体２を第１ブラシ体１における細長空所１３に挿入させながら、前記第１ブラシ体１の第１筒部１４が、第２ブラシ体２における第２筒部２３の下端側の開口から第２筒部内まで挿入された状態となるように差し込む。
【００４２】
この操作を行うことにより、前記第１筒部１４における一対の係止突部１７，１７が前記第２筒部２３の外周壁の内面に押圧されて、一対の弾性片１６，１６の弾性力に抗して径方向内方へ変移する。さらに差し込み操作を行って前記一対の係止突部１７，１７が一対の係合孔１８，１８の位置に至れば、図４および図５に示すように、係止突部１７，１７が一対の弾性片１６，１６の弾性力を受けて復帰して前記係合孔１８，１８に係合するので、第１ブラシ体１に対して第２ブラシ２が第１および第２筒部１４，２３を介して結合される。
【００４３】
このように、弾性変移可能な係止突部１７，１７と係合孔１８，１８とを設ける簡単な係合構造の導入により、第１ブラシ体１に第２ブラシ体２を簡単に結合させることができる。勿論、この係合構造は、他の変形手段を採用可能である。
【００４４】
また、組み立てられた長柄３における最下端側の分割柄３１の下端側を第２ブラシ体２における第２筒部２３の上端に対して連結装置４により連結すれば、長柄３が第１および第２ブラシ体２に取り付けられる。
【００４５】
この長柄３を取り付けた状態では、第２ブラシ体２が第１ブラシ体１における細長空所１３内に挿入されて該第１ブラシ体１とが合体化され、両者１，２の摺洗面１２ａ，２２ａは、比較的広い被清掃面に好適となる。つまり、この第１ブラシ体１と第２ブラシ体２とを合体させた状態では、浴槽の床面等の比較的広い被清掃面に対して第１ブラシ体１と第２ブラシ体２との摺洗面１２ａ、２２ａを当てて長柄３を操作して摺動させれば、その被清掃面を効率的に清掃することができる。
【００４６】
また、浴槽内のコーナー部等を清掃するために、前記第２ブラシ体２を使いたい場合には、第２ブラシ体２に長柄３が取り付けられた状態のまま、第１ブラシ体１を第２ブラシ体２の下端側から引き抜けばよい。具体的には、前記係止突部１７，１７を一対の弾性片１６，１６の弾性力に抗して押し込んだ状態で、前記第１ブラシ体１側の第１筒部１４を第２ブラシ体２側の第２筒部２３から引き抜き操作をすれば、第１筒部１４における係止突部１７，１７と第２筒部２３における係合孔１８，１８との係合が解除されて、第１ブラシ体１を第２ブラシ体２から簡単に分離することができる。
【００４７】
この状態では、長柄３の基端部（つまり、最下端の分割柄３１の下端部）が第２筒部２３を介して第２ブラシ体２に連結されているので、この第２ブラシ体２を単独で使用できる。つまり、別途、長柄付きの目地ブラシを用意しておかなくても、この第２ブラシを長柄３で操作しながら、浴槽のコーナー部等の清掃が行える。
【００４８】
その場合、第２ブラシ体２は細長であるので、目地用ブラシと同様の働きをさせることができ、しかもブラシ材２２の摺洗面２２ａを逆山形にしてあるので、被清掃部位に対して線状に接触し、コーナー部の汚れを効果的に落とすことができる。
【００４９】
とくに、目地ブラシ機能が発揮できる第２ブラシ体２を長柄３で操作できるので、天井と壁との間等の高所のコーナー部に対しても、踏み台等に上がる必要もなくなり、容易に清掃作業を行うことができる。
【００５０】
また、第１ブラシ体１と第２ブラシ体２とが組み立てられる前に、第２ブラシ体２だけを使いたい場合には、第１ブラシ体１に触れず、第２ブラシ体２に直接に長柄３を取り付けることもできる。
【００５１】
さらに、こうして第２ブラシ体２のブラシ台２１に長柄３が取り付けられた状態のまま、第１ブラシ体１のブラシ台１１を第２ブラシ体２のブラシ台２１に取り付けることも、さらにそこから第１ブラシ体１を取り外すこともできる。
【００５２】
このように第２ブラシ体２に長柄３が取り付けられている状態で、第２ブラシ体２に対して第１ブラシ体を着脱する操作（合体・解除の操作）は、第２ブラシ体２と棒状長柄３の合体解除操作と同じ軸線上、すなわち棒状長柄３の長さ方向と同じ軸線上で行われることとなり、長柄３を把持して操作することで優れた操作性を得ることができる。
【符号の説明】
【００５３】
１・・・第１ブラシ体
２・・・第２ブラシ体
３・・・長柄
１１・・・第１ブラシ体のブラシ台
１２・・・第１ブラシ体のブラシ材
１３・・・細長空所
１４・・・第１筒部
１５・・・切り込み部
１６，１６・・・弾性片
１７，１７・・・係止突部
１８，１８・・・係合孔
２０・・・結合手段
２１・・・第２ブラシ体のブラシ台
２２・・・第２ブラシ体のブラシ材
２２ａ・・・第２ブラシ体の摺洗面
２３・・・・第２筒部
【図１】
2011115285.tif 000003
【図２】
2011115285.tif 000004
【図３】
2011115285.tif 000005
【図４】
2011115285.tif 000006
【図５】
2011115285.tif 000007
【図６】
2011115285.tif 000008
【図７】
2011115285.tif 000009
【図８】
2011115285.tif 000010
【図９】
2011115285.tif 000011